(57)【要約】  情報提示ＥＣＵ１１０は、情報提供センタ２００から提供された情報を表示するための表示器１１１の表示領域が大きいか小さいかに基づいて、表示面積の小さい（表示ピクセルが小さい或いは文字配列方向における表示可能文字数が少ない）状態であれば、モバイル用ユーザエージェントでのアクセスにより表示面積の小さい状態にて表示されるモバイル対応情報の提供を情報提供センタ２００に要求する。一方、情報提示ＥＣＵ１１０は、表示面積の大きい（表示ピクセルが大きい或いは文字配列方向における表示可能文字数が多い）状態であれば、ＰＣ用ユーザエージェントでのアクセスにより表示面積の大きい状態にて表示されるＰＣ対応情報の提供を情報提供センタ２００に要求する。
2013030951.tif 000002
【特許請求の範囲】
【請求項１】
外部と通信する通信手段と、前記外部から提供される情報を前記通信手段を介して取得する情報取得手段と、この情報取得手段によって取得した前記情報を表示する表示器を有する情報提示手段とを備えた情報取得提示装置において、
前記情報提示手段は、
前記表示器上の情報表示状態に応じて、前記情報取得手段が取得した一の表示態様による情報を表示するか、前記情報取得手段が取得した前記一の表示態様とは異なる他の表示態様による情報を表示するかを、切り替えることを特徴とする情報取得提示装置。
【請求項２】
請求項１に記載した情報取得提示装置において、
前記情報提示手段は、
前記表示器上の情報表示状態に応じて、前記一の表示態様により表示する情報の提供を前記外部に要求する一の情報提供要求信号、又は、前記他の表示態様により表示する情報の提供を前記外部に要求する、前記一の情報提供要求信号とは異なる他の情報提供要求信号を前記通信手段を介して送出し、前記情報取得手段が前記外部から前記一の情報提供要求信号に対応して取得した前記一の表示態様により表示する情報を前記表示器上に表示し、前記情報取得手段が前記外部から前記他の情報提供要求信号に対応して取得した前記他の表示態様により表示する情報を前記表示器上に表示することを特徴とする情報取得提示装置。
【請求項３】
請求項１又は請求項２に記載した情報取得提示装置において、
前記一の表示態様は、
前記表示器上にて前記情報取得手段が前記外部から取得した情報を表示する表示面積が大きい表示態様、前記表示器上にて前記情報取得手段が前記外部から取得した情報を表示する表示ピクセルが大きい表示態様、及び、前記情報取得手段が前記外部から取得した情報の文字配列方向における前記表示器の表示可能文字数が多い表示態様のうちの何れか一つの表示態様であり、
前記他の表示態様は、
前記表示器上にて前記情報取得手段が前記外部から取得した情報を表示する表示面積が小さい表示態様、前記表示器上にて前記情報取得手段が前記外部から取得した情報を表示する表示ピクセルが小さい表示態様、及び、前記情報取得手段が前記外部から取得した情報の文字配列方向における前記表示器の表示可能文字数が少ない表示態様のうちの何れか一つの表示態様であることを特徴とする情報取得提示装置。
【請求項４】
請求項３に記載した情報取得提示装置において、
前記他の表示態様のうちの前記表示器上にて前記情報取得手段が前記外部から取得した情報を表示する表示面積が小さい表示態様は、
前記情報提示手段が前記表示器上に複数種類の情報を同時に表示する表示態様であることを特徴とする情報取得提示装置。
【請求項５】
請求項４に記載した情報取得提示装置において、
前記複数種類の情報には、少なくとも、ユーザが設定した目的地までの経路を案内するナビゲーション情報が含まれることを特徴とする情報取得提示装置。
【請求項６】
外部と通信する通信手段と、前記外部から前記通信手段を介して情報提供に関する要求を取得する要求取得手段と、各種の情報を記憶する記憶手段を有していて前記要求取得手段によって取得した前記要求に対応する情報を前記通信手段を介して供給して提供する情報提供手段とを備えた情報提供装置において、
前記情報提供手段は、
前記外部に対して、一の表示態様により表示される情報を提供し、又は、前記一の表示態様とは異なる他の表示態様により表示される情報を提供することを特徴とする情報提供装置。
【請求項７】
請求項６に記載した情報提供装置において、
前記情報提供手段は、
前記外部に設けられた表示器上の情報表示状態に応じて前記外部から送出された前記一の表示態様により表示する情報の提供を要求する一の情報提供要求信号を前記要求取得手段が取得したときに前記外部に対して前記一の情報提供要求信号に対応した情報を提供し、
前記外部に設けられた表示器上の情報表示状態に応じて前記外部から送出された前記他の表示態様により表示する情報の提供を要求する、前記一の情報提供要求信号とは異なる他の情報提供要求信号を前記要求取得手段が取得したときに前記外部に対して前記他の情報提供要求信号に対応した情報を提供することを特徴とする情報提供装置。
【請求項８】
請求項６又は請求項７に記載した情報提供装置において、
前記一の表示態様は、
前記外部に設けられた表示器上にて前記情報提供手段が提供する情報を表示する表示面積が大きい表示態様、前記表示器上にて前記情報提供手段が提供する情報を表示する表示ピクセルが大きい表示態様、及び、前記情報提供手段が提供する情報の文字配列方向における前記表示器の表示可能文字数が多い表示態様のうちの何れか一つの表示態様であり、
前記他の表示態様は、
前記外部に設けられた表示器上にて前記情報提供手段が提供する情報を表示する表示面積が小さい表示態様、前記表示器上にて前記情報提供手段が提供する情報を表示する表示ピクセルが小さい表示態様、及び、前記情報提供手段が提供する情報の文字配列方向における前記表示器の表示可能文字数が少ない表示態様のうちの何れか一つの表示態様であることを特徴とする情報提供装置。
【請求項９】
請求項８に記載した情報提供装置において、
前記他の表示態様のうちの前記外部に設けられた表示器上にて前記情報提供手段が提供する情報を表示する表示面積が小さい表示態様は、
前記外部に設けられた表示器上に複数種類の情報が同時に表示される表示態様であることを特徴とする情報提供装置。
【請求項１０】
請求項９に記載した情報提供装置において、
前記複数種類の情報には、少なくとも、前記外部のユーザが設定した目的地までの経路を案内するナビゲーション情報が含まれることを特徴とする情報提供装置。
【請求項１１】
各種の情報を提供する情報提供装置と、この情報提供装置から提供される各種の情報を取得して提示する情報取得提示装置とが互いに通信する情報通信システムにおいて、
前記情報取得提示装置は、
前記取得した情報を表示する表示器上の情報表示状態に応じて、一の表示態様により表示する情報の提供を前記情報提供装置に要求する一の情報提供要求信号、又は、前記一の表示態様とは異なる他の表示態様により表示する情報の提供を前記情報提供装置に要求する、前記一の情報提供要求信号とは異なる他の情報提供要求信号を送出し、
前記情報提供装置は、
前記情報取得提示装置から送出された前記一の情報提供要求信号を取得したときに前記情報取得提示装置に対して前記一の情報提供要求信号に対応した前記一の表示態様により表示する情報を提供し、前記情報取得提示装置から送出された前記他の情報提供要求信号を取得したときに前記情報取得提示装置に対して前記他の情報提供要求信号に対応した前記他の表示態様により表示する情報を提供し、
前記情報取得提示装置は、
前記情報提供装置から前記一の情報提供要求信号に対応して取得した前記一の表示態様により表示する情報を前記表示器上に表示し、前記情報提供装置から前記他の情報提供要求信号に対応して取得した前記他の表示態様により表示する情報を前記表示器上に表示することを特徴とする情報通信システム。
【請求項１２】
請求項１１に記載した情報通信システムにおいて、
前記一の表示態様は、
前記情報取得提示装置の表示器上にて前記情報提供装置から取得した情報を表示する表示面積が大きい表示態様、前記表示器上にて前記情報提供装置から取得した情報を表示する表示ピクセルが大きい表示態様、及び、前記情報提供装置から取得した情報の文字配列方向における前記表示器の表示可能文字数が多い表示態様のうちの何れか一つの表示態様であり、
前記他の表示態様は、
前記情報取得提示装置の表示器上にて前記情報提供装置から取得した情報を表示する表示面積が小さい表示態様、前記表示器上にて前記情報提供装置から取得した情報を表示する表示ピクセルが小さい表示態様、及び、前記情報提供装置から取得した情報の文字配列方向における前記表示器の表示可能文字数が少ない表示態様のうちの何れか一つの表示態様であることを特徴とする情報通信システム。
【請求項１３】
請求項１２に記載した情報通信システムにおいて、
前記他の表示態様のうちの前記表示器上にて前記情報提供装置から取得した情報を表示する表示面積が小さい表示態様は、
前記情報取得提示装置が前記表示器上に複数種類の情報を同時に表示する表示態様であることを特徴とする情報通信システム。
【請求項１４】
請求項１３に記載した情報通信システムにおいて、
前記複数種類の情報には、少なくとも、前記情報取得提示装置のユーザが設定した目的地までの経路を案内するナビゲーション情報が含まれることを特徴とする情報通信システム。
【発明の詳細な説明】
【技術分野】
【０００１】
本発明は、外部から供給される情報を取得して提示する情報取得提示装置、外部に情報を提供する情報提供装置、情報取得提示装置及び情報提供装置を備えた情報通信システムに関する。
【背景技術】
【０００２】
従来から、例えば、下記特許文献１に示されているようなイベントへのアクセス支援方法、イベント管理システム、コンピュータプログラムは知られている。この従来のイベントへのアクセス支援方法、イベント管理システム、コンピュータプログラムにおいては、ユーザがＰＣでＷｅｂページを閲覧する度に、ＰＣがユーザにより閲覧されたＷｅｂページのＵＲＮに基づくユーザイベントデータを時系列に管理サーバに蓄積させるようになっている。管理サーバは、携帯電話からの要求に応じてイベントリストをその携帯電話に送信する。イベントリストを受信した携帯電話は、イベントリストからユーザが指定したユーザイベントデータ及び端末を特定するための端末データを管理サーバに送信し、管理サーバは、イベントデータに対応するＷｅｂページを携帯電話用の表示データに変換して携帯電話に送るようになっている。これにより、ネットワーク上で一度閲覧した電子情報を端末又はデータ形式に依存することなく、再び閲覧し易くするようになっている。【０００３】
又、従来から、例えば、下記特許文献２に示されているような情報表示装置も知られている。この従来の情報表示装置においては、通信ネットワークを介して表示データを受信するデータ通信手段と、プログラム及び表示データが保存される記憶手段と、各操作に伴うイベント入力を受け付ける入力手段と、イベント入力に応答してプログラムの実行を行う制御手段と、表示データの処理を行い画面に表示を行う表示手段とを有し、表示手段は画像処理手段を含み、画像処理手段は、広告デモンストレーションを表示する際、３Ｄオブジェクトの動きを定義するファイルを用いて、表示データをテクスチャとして３Ｄオブジェクトに貼り付ける処理を行うようになっている。これにより、画面の大きさに制限のある携帯電話機やスマートフォン等の情報表示装置でアプリケーション・ソフトウェアの実行中において、表示中の画面と調和した広告が提供できるようになっている。【０００４】
又、従来から、例えば、下記特許文献３に示されているような情報処理装置及びその制御プログラムも知られている。この従来の情報処理装置及びその制御プログラムにおいては、ＷｅｂコンテンツをＷｅｂページに展開して表示する際、情報処理装置が受信したＷｅｂコンテンツを解析してＷｅｂページのレイアウト上の構成単位となるカラムを抽出するようになっている。そして、表示装置による前記Ｗｅｂページの表示状態において、表示範囲内に表示されている各カラムの表示面積を閾値と比較して十分な表示面積か否かを判別し、判別の結果、カラムの表示面積が十分な表示面積でない場合は、カラムの内容をテキストの強度の大きいものを優先に要約する等、その表示面積に従ったプレビュー用の表示形態に適用させて表示するようになっている。これにより、小画面の携帯端末などの情報処理装置で、Ｗｅｂコンテンツのカラムの内容の概要を、煩雑な操作を減らして把握できるようになっている。【０００５】
更に、従来から、例えば、下記特許文献４に示されているような表示装置も知られている。この従来の表示装置においては、携帯端末を取り外し可能に装着する装着手段と、装着手段に装着された携帯端末に記憶された情報を表示する携帯端末モードと、機器本体の状態や機器本体への命令の入力が可能な画面を表示する通常モードで表示パネルを作動させる表示パネル制御手段と、携帯端末が装着手段に装着されたことを検知する装着検知手段と、携帯端末の装着が検知されると、表示パネル制御手段が作動させる表示モードを携帯端末モードに切り替えるモード切替手段を備えるようになっている。これにより、サイズが小さく、又、解像度も低い携帯電話の画面であっても、大きなサイズの画像を良好に閲覧することができるようになっている。
【先行技術文献】
【特許文献】
【０００６】
【特許文献１】特開２００６−２８５７６４号公報
【特許文献２】特開２０１１−１０３０７３号公報
【特許文献３】特開２０１１−２２９１４号公報
【特許文献４】特開２００６−７２５１４号公報
【発明の概要】
【０００７】
上記従来の各装置、方法、プログラムにおいては、例えば、画面サイズの小さい表示パネル（表示器）に情報を表示させる際、この画面サイズに応じて縮小した情報に変換したり、文字の配列を変更してページ内に収まるように情報を変更したりすることがなされる。この場合、単に表示内容を縮小した場合には、表示される文字が潰れて読みにくい状況が生じたり、画像が歪んだりする状況が生じる可能性がある。又、単に文字の配列を変更すると、ページレイアウトが崩れてしまう可能性が高く、表示された情報が読みにくくなる可能性がある。又、逆に、小さな画面サイズに合わせた情報を大きな画面サイズの表示パネル上に表示させると、例えば、表示文字数が少なく、空白部分が多くなって無駄の多い表示となる可能性がある。
【０００８】
本発明は、上記課題を解決するためになされたものであり、その目的の一つは、表示器上の表示状態に対応する表示態様に応じた情報を取得及び提供可能な情報取得提示装置、情報提供装置、情報取得提示装置及び情報提供装置を備えた情報通信システムを提供することにある。
【０００９】
上記目的を達成するために、本発明の特徴は、外部と通信する通信手段と、前記外部から提供される情報を前記通信手段を介して取得する情報取得手段と、この情報取得手段によって取得した前記情報を表示する表示器を有する情報提示手段とを備えた情報取得提示装置において、前記情報提示手段は、前記表示器上の情報表示状態に応じて、前記情報取得手段が取得した一の表示態様による情報を表示するか、前記情報取得手段が取得した前記一の表示態様とは異なる他の表示態様による情報を表示するかを、切り替えることにある。
【００１０】
この場合、前記情報提示手段は、前記表示器上の情報表示状態に応じて、前記一の表示態様により表示する情報の提供を前記外部に要求する一の情報提供要求信号、又は、前記他の表示態様により表示する情報の提供を前記外部に要求する、前記一の情報提供要求信号とは異なる他の情報提供要求信号を前記通信手段を介して送出し、前記情報取得手段が前記外部から前記一の情報提供要求信号に対応して取得した前記一の表示態様により表示する情報を前記表示器上に表示し、前記情報取得手段が前記外部から前記他の情報提供要求信号に対応して取得した前記他の表示態様により表示する情報を前記表示器上に表示するとよい。
【００１１】
又、本発明の他の特徴は、外部と通信する通信手段と、前記外部から前記通信手段を介して情報提供に関する要求を取得する要求取得手段と、各種の情報を記憶する記憶手段を有していて前記要求取得手段によって取得した前記要求に対応する情報を前記通信手段を介して供給して提供する情報提供手段とを備えた情報提供装置において、前記情報提供手段は、前記外部に対して、一の表示態様により表示される情報を提供し、又は、前記一の表示態様とは異なる他の表示態様により表示される情報を提供することにもある。
【００１２】
この場合、前記情報提供手段は、前記外部に設けられた表示器上の情報表示状態に応じて前記外部から送出された前記一の表示態様により表示する情報の提供を要求する一の情報提供要求信号を前記要求取得手段が取得したときに前記外部に対して前記一の情報提供要求信号に対応した情報を提供し、前記外部に設けられた表示器上の情報表示状態に応じて前記外部から送出された前記他の表示態様により表示する情報の提供を要求する、前記一の情報提供要求信号とは異なる他の情報提供要求信号を前記要求取得手段が取得したときに前記外部に対して前記他の情報提供要求信号に対応した情報を提供するとよい。
【００１３】
又、本発明の他の特徴は、各種の情報を提供する情報提供装置と、この情報提供装置から提供される各種の情報を取得して提示する情報取得提示装置とが互いに通信する情報通信システムにおいて、前記情報取得提示装置は、前記取得した情報を表示する表示器上の情報表示状態に応じて、一の表示態様により表示する情報の提供を前記情報提供装置に要求する一の情報提供要求信号、又は、前記一の表示態様とは異なる他の表示態様により表示する情報の提供を前記情報提供装置に要求する、前記一の情報提供要求信号とは異なる他の情報提供要求信号を送出し、前記情報提供装置は、前記情報取得提示装置から送出された前記一の情報提供要求信号を取得したときに前記情報取得提示装置に対して前記一の情報提供要求信号に対応した前記一の表示態様により表示する情報を提供し、前記情報取得提示装置から送出された前記他の情報提供要求信号を取得したときに前記情報取得提示装置に対して前記他の情報提供要求信号に対応した前記他の表示態様により表示する情報を提供し、前記情報取得提示装置は、前記情報提供装置から前記一の情報提供要求信号に対応して取得した前記一の表示態様により表示する情報を前記表示器上に表示し、前記情報提供装置から前記他の情報提供要求信号に対応して取得した前記他の表示態様により表示する情報を前記表示器上に表示することにもある。
【００１４】
これらの場合、前記一の表示態様は、前記表示器上にて情報を表示する表示面積が大きい表示態様、前記表示器上にて情報を表示する表示ピクセルが大きい表示態様、及び、情報の文字配列方向における前記表示器の表示可能文字数が多い表示態様のうちの何れか一つの表示態様であり、前記他の表示態様は、前記表示器上にて情報を表示する表示面積が小さい表示態様、前記表示器上にて情報を表示する表示ピクセルが小さい表示態様、及び、情報の文字配列方向における前記表示器の表示可能文字数が少ない表示態様のうちの何れか一つの表示態様であるとよい。
【００１５】
この場合、前記他の表示態様のうちの前記表示器上にて情報を表示する表示面積が小さい表示態様は、前記表示器上に複数種類の情報を同時に表示する表示態様であるとよい。そして、この場合、前記複数種類の情報には、少なくとも、ユーザが設定した目的地までの経路を案内するナビゲーション情報が含まれるとよい。
【００１６】
これらによれば、情報取得提示装置は、取得した情報を表示する表示器上の情報表示状態に応じて、一の表示態様により表示する情報の提供を情報提供装置に要求する一の情報提供要求信号、又は、一の表示態様とは異なる他の表示態様により表示する情報の提供を情報提供装置に要求する、一の情報提供要求信号とは異なる他の情報提供要求信号を送出することができる。情報提供装置は、情報取得提示装置から送出された一の情報提供要求信号を取得したときに情報取得提示装置に対して一の情報提供要求信号に対応した一の表示態様により表示する情報を提供し、情報取得提示装置から送出された他の情報提供要求信号を取得したときに情報取得提示装置に対して他の情報提供要求信号に対応した他の表示態様により表示する情報を提供することができる。そして、情報取得提示装置は、情報提供装置から一の情報提供要求信号に対応して取得した一の表示態様により表示する情報を表示器上に表示し、情報提供装置から他の情報提供要求信号に対応して取得した他の表示態様により表示する情報を表示器上に表示する、すなわち、一の表示態様又は他の表示態様に切り替えて情報を表示して提示することができる。
【００１７】
ここで、一の表示態様は、表示器上にて情報を表示する表示面積が大きい表示態様、表示器上にて情報を表示する表示ピクセルが大きい表示態様、及び、情報の文字配列方向における表示器の表示可能文字数が多い表示態様のうちの何れか一つの表示態様とすることができ、他の表示態様は、表示器上にて情報を表示する表示面積が小さい表示態様、表示器上にて情報を表示する表示ピクセルが小さい表示態様、及び、情報の文字配列方向における表示器の表示可能文字数が少ない表示態様のうちの何れか一つの表示態様とすることができる。
【００１８】
これにより、情報取得提示装置は、表示面積の大きい（表示ピクセルが大きい或いは文字配列方向における表示可能文字数が多い）状態であれば、表示面積の大きい状態での表示に適した一の表示態様により表示する情報の提供を要求する一の情報提供要求信号を送出して情報提供装置（外部）に要求することができる。一方、情報取得提示装置は、表示器の表示領域が大きいか小さいかに基づいて、表示面積の小さい（表示ピクセルが小さい或いは文字配列方向における表示可能文字数が少ない）状態であれば、表示面積の小さい状態での表示に適した他の表示態様により表示する情報の提供を要求する他の情報提供要求信号を送出して情報提供装置（外部）に要求することができる。このため、情報取得提示装置は、情報提供装置（外部）から現在の表示状態に適した情報を取得して表示器に表示することができる。
【００１９】
これにより、ユーザに提示する情報において、例えば、文字の潰れや画像の歪み等、ページレイアウトの崩れが生じることがなく、極めて良好な視認性を確保して情報を常に提示することができる。従って、ユーザは極めて容易に提示された情報確認することができる。
【図面の簡単な説明】
【００２０】
【図１】図１は、本発明の実施形態に係り、車両に搭載された情報取得提示装置及び情報提供装置（外部コンテンツプロバイダを含む）を備えた情報通信システムの概略図である。
【図２】図２は、本発明の実施形態に係り、図１における情報取得提示装置の情報提示ＥＣＵ及び情報提供センタのサーバによる情報の流れを説明するためのフローチャートである。
【図３】図３は、本発明の実施形態に係り、モバイルユーザエージェントでのアクセスにより取得されたモバイル対応情報の表示態様を説明するための図である。
【図４】図４は、本発明の実施形態に係り、ＰＣユーザエージェントでのアクセスにより取得されたＰＣ対応情報の表示態様を説明するための図である。
【図５】図５は、本発明の変形例に係り、情報端末である情報取得提示装置及び情報提供装置（外部コンテンツプロバイダを含む）を備えた情報通信システムの概略図である。
【図６】図６は、本発明の変形例に係り、図５における情報端末の主制御部及び情報提供センタのサーバによる情報の流れを説明するためのフローチャートである。
【図７】図７は、本発明の変形例に係り、モバイルユーザエージェントでのアクセスにより取得されたモバイル対応情報の情報端末における表示態様を説明するための図である。
【図８】図８は、本発明の変形例に係り、ＰＣユーザエージェントでのアクセスにより取得されたＰＣ対応情報の情報端末における表示態様を説明するための図である。
【発明を実施するための形態】
【００２１】
以下、本発明の実施形態に係る情報取得提示装置及び情報提供装置について図面を用いて説明する。図１は、本実施形態に係る情報取得提示装置及び情報供給装置を有する情報通信システムを概略的に示した概略ブロック図である。
【００２２】
まず、車両の情報通信システムについて説明する。本実施形態における車両の情報通信システムは、情報取得提示装置を有する車両１００と、情報提供装置を有する情報提供センタ２００と、外部コンテンツプロバイダ４００とを外部通信回線網３００（例えば、インターネット網や専用回線網等）を介して有機的に結び付けて、ユーザに対して各種のサービスや情報を提供できるようにしたものである。ここで、外部コンテンツプロバイダ４００は、マイクロコンピュータを主要構成部品とするサーバを備えており、車両１００や情報提供センタ２００に対し、外部通信回線網３００を介して各種のコンテンツ（後述するＰＣ対応情報のコンテンツ又はモバイル対応のコンテンツ）を提供するものである。
【００２３】
車両１００には、情報提供センタ２００から提供される各種情報（例えば、各種の検索結果情報等）を取得するとともに、車両１００の走行に関する情報（具体的には、後述するナビゲーション情報）の表示状態に応じて、取得した各種情報を表示してユーザに提示する情報提示手段としての情報提示ＥＣＵ１１０が設けらている。情報提示ＥＣＵ１１０は、ＣＰＵ、ＲＯＭ、ＲＡＭ等からなるマイクロコンピュータを主要構成部品とするものであり、不揮発性メモリ及び入出力インターフェースを備えている。そして、情報提示ＥＣＵ１１０には、入出力インターフェースを介して、表示器１１１が接続されている。表示器１１１は、例えば、タッチパネル式液晶ディスプレイであり、車両１００の運転席近傍に配置されている。又、情報提示ＥＣＵ１１０は、ＣＡＮ(Controller Area Network)通信システムのＣＡＮ通信ライン１２０に接続され、このＣＡＮ通信ライン１２０を経由して他の機器（例えば、後述するナビゲーション装置１４０）との間で各種の信号及び情報を入出力できるようになっている。
【００２４】
又、情報提示ＥＣＵ１１０には、外部通信回線網３００を介して情報提供センタ２００と通信する通信手段及び情報取得手段としてのデータコミュニケーションモジュール１３０（以下、ＤＣＭ１３０と称呼する。）が接続されている。ＤＣＭ１３０は、外部通信回線網３００を介して後述する情報提供センタ２００のサーバ２１０とデータ通信するとともに、例えば、ＵＳＢ接続を介して情報提示ＥＣＵ１１０とデータ通信し、情報提示ＥＣＵ１１０から送出される後述の情報提供要求信号を取得して情報提供センタ２００に送信したり、情報提供センタ２００から提供された各種の情報を受信して取得し情報提示ＥＣＵ１１０に出力するようになっている。尚、本実施形態においては、情報提示ＥＣＵ１１０とＤＣＭ１３０とを別体として（すなわち、それぞれを独立させて）実施するが、情報提示ＥＣＵ１１０とＤＣＭ１３０とを一体化して実施可能であることは言うまでもない。又、本実施形態ににおいては、情報取得手段として、ＤＣＭ１３０を設けて実施する。しかし、情報取得手段としてはこれに限定されるものではなく、例えば、Wi-Fi（登録商標）やユーザが所有する携帯電話（スマートフォンを含む）、テザリング等、外部通信回線網３００に接続して情報提供センタ２００や外部コンテンツプロバイダ４００との通信に利用可能であれば、如何なるものであってもよい。
【００２５】
更に、ＣＡＮ通信ライン１２０には、ユーザ（運転者）によって設定された目的地までの経路を探索するとともに、探索した経路を案内するナビゲーション装置１４０が接続されている。尚、ナビゲーション装置１４０の構成及びその作動については、本発明に直接関係するものではなく、又、周知の構成及び作動を採用することができるため、以下に簡単に説明しておく。ナビゲーション装置１４０は、図示を省略するが、ＧＰＳ衛星からの電波に基づいて車両１００の現在位置座標を検出するＧＰＳ装置を有して車両１００の現在位置及び走行方向を検出する車両位置検出ユニットと、地図データ等の各種の情報を記憶するメモリと、車両１００を目的地に誘導するためのプログラムを実行する電子制御ユニットと、表示器１１１とスピーカからなるヒューマンインターフェース等を備えている。
【００２６】
ここで、情報提示ＥＣＵ１１０とナビゲーション装置１４０の電子制御ユニットとが共有する表示器１１１にそれぞれの情報を表示する場合、例えば、ユーザ（運転者）が現在ナビゲーション装置１４０を利用していなければ、情報提示ＥＣＵ１１０は、表示器１１１における表示領域の全部を利用することができる。すなわち、この場合には、表示器１１１上にて表示する情報の表示面積が大きい、表示器１１１上にて表示する情報の表示ピクセルが大きい、或いは、表示する情報の文字配列方向における表示器１１１の表示可能文字数が多い場合であるため、情報提示ＥＣＵ１１０は、一の表示態様によって、情報提供センタ２００から提供された情報を表示して提示する。尚、以下の説明においては、情報提供センタ２００から提供されて、情報提示ＥＣＵ１１０が一の表示態様によって表示器１１１上に表示する情報を「ＰＣ対応情報」と称呼する。
【００２７】
一方、ユーザ（運転者）が現在ナビゲーション装置１４０を利用していれば、情報提示ＥＣＵ１１０とナビゲーション装置１４０の電子制御ユニットとは、表示器１１１の表示領域を均等に分割した表示領域内にそれぞれの情報を表示する。具体的に、情報取得提示ＥＣＵ１１は、表示器１１１の表示領域の半分がナビゲーション装置１４０による案内経路が表示されているため、表示器１１１における表示領域の半分のみを利用することができる。
【００２８】
すなわち、この場合には、表示器１１１上にて表示する情報の表示面積が小さい、表示器１１１上にて表示する情報の表示ピクセルが小さい、或いは、表示する情報の文字配列方向における表示器１１１の表示可能文字数が少ない場合であるため、情報提示ＥＣＵ１１０は、他の表示態様によって、情報提供センタ２００から提供された情報を表示して提示する。尚、以下の説明においては、情報提供センタ２００から提供されて、情報提示ＥＣＵ１１０が他の表示態様によって表示器１１１上に表示する情報を「モバイル対応情報」と称呼する。
【００２９】
より具体的に、情報提示ＥＣＵ１１０は、ＣＡＮ通信ライン１２０を介してナビゲーション装置１４０の電子制御ユニットと通信することによって、ナビゲーション装置１４０が経路案内に関する経路案内情報を表示する必要があるか否かを判断することができる。そして、情報提示ＥＣＵ１１０は、ナビゲーション装置１４０が経路案内情報を表示するために表示器１１１の表示領域の一部を占有するか否か、言い換えれば、情報提供センタ２００から提供された情報を表示するための表示器１１１の表示領域が大きいか小さいかに基づいて、情報提供センタ２００にＰＣ対応情報又はモバイル対応情報の提供を要求する。
【００３０】
すなわち、情報提示ＥＣＵ１１０は、表示器１１１の情報表示状態として、ナビゲーション装置１４０と表示器１１１を共用することなく表示領域が大きい、言い換えれば、表示面積が大きい、表示ピクセルが大きい、或いは、文字配列方向における表示可能文字数が多い状態であると判断するときには、情報提供センタ２００に対して、一の表示態様によって表示されるＰＣ対応情報の提供を要求するために、一の情報提供要求信号をＣＡＮ通信ライン１２０を介してＤＣＭ１３０に出力（送出）する。これにより、ＤＣＭ１３０は、一の情報提供要求信号を情報提供センタ２００に送信する。
【００３１】
一方、情報提示ＥＣＵ１１０は、表示器１１１の情報表示状態として、ナビゲーション装置１４０と表示器１１１を共用するために表示領域が小さい、言い換えれば、表示面積が小さい、表示ピクセルが小さい、或いは、文字配列方向における表示可能文字数が少ない状態であると判断するときには、情報提供センタ２００に対して、他の表示態様によって表示されるモバイル対応情報の提供を要求するために、他の情報提供要求信号をＣＡＮ通信ライン１２０を介してＤＣＭ１３０に出力（送出）する。これにより、ＤＣＭ１３０は、他の情報提供要求信号を情報提供センタ２００に送信する。
【００３２】
情報提供センタ２００は、車両１００（より詳しくは、情報提示ＥＣＵ１１０及びＤＣＭ１３０）からＰＣ対応情報の提供を要求する一の情報提供要求信号、又は、モバイル対応情報の提供を要求する他の情報提供要求信号を受信（取得）するとともに車両１００のユーザに対して種々のサービスに関する情報等（例えば、検索結果情報等）を提供する施設である。このため、情報提供センタ２００には、マイクロコンピュータを主要構成部品とするサーバ２１０が設けられる。
【００３３】
サーバ２１０は、外部通信回線網３００と接続して通信を制御する通信制御部２１１と、ユーザ及び車両１００に関するユーザ情報を管理するユーザ情報管理部２１２と、ユーザ情報のデータベースを記憶するユーザ情報記憶部２１３（データベース）と、ユーザに対して提供するコンテンツを管理するコンテンツ管理部２１４と、コンテンツのデータベースを記憶するコンテンツ記憶部２１５（データベース）とを備えている。ここで、サーバ２１０は、例えば、車両１００を特定するＩＤ情報（登録番号や車台番号に相当する情報、ＤＣＭ１３０を特定する一意の番号等）とユーザを特定するＩＤ情報（ユーザ名、アクセスパスワード、メールアドレス等）とを関連させる関連情報を記憶しており、何れか一方のＩＤ情報を特定することで、他方のＩＤ情報で特定される情報を抽出してユーザを認証することができるようになっている。
【００３４】
コンテンツ管理部２１４は、車両１００側の情報提示ＥＣＵ１１０から一の情報提供要求信号（すなわち、ＰＣ対応情報の提供要求）が送出されているか、他の情報提供要求信号（すなわち、モバイル対応情報の提供要求）が送出されているに応じて、コンテンツ記憶部２１５を検索するとともに、コンテンツ記憶部２１５に記憶する情報を管理する。コンテンツ記憶部２１５は、ＰＣ対応情報及びモバイル対応情報をそれぞれ所定の記憶位置にて検索可能に記憶するデータベースである。
【００３５】
ここで、ＰＣ対応情報とモバイル対応情報とを具体的に説明しておく。ＰＣ対応情報とモバイル対応情報は、その表示態様が異なるものの、その内容としては、共に同一の内容となる情報である。具体的に、ＰＣ対応情報は、所謂、大きな表示器（ディスプレイ）を利用することができるパーソナルコンピュータ（ＰＣ）向けの情報である。すなわち、ＰＣ対応情報は、大きな表示器（ディスプレイ）の利用を前提とする情報であり、原則、テキストの情報量が多く、この情報量が多くなるテキストを大きな表示領域内で見やすく表示するための表示レイアウト（表示する文字のフォントやサイズ、文字配列方向における表示可能文字数等）を自由に設定して作成される情報である。
【００３６】
一方、モバイル対応情報は、所謂、限られた大きさの表示器（ディスプレイ）を利用する携帯情報端末（例えば、携帯電話やスマートフォン等）向けの情報である。すなわち、携帯情報端末においては、情報を表示する際に、特に携帯電話では表示画面の拡大及び縮小や移動等の操作が煩雑であるとともに、情報の表示及び非表示の切替等の操作が煩雑である。このため、モバイル対応情報は、極力、拡大縮小操作や表示非表示操作を不要として限られた表示領域内でも見やすくなるように、原則、テキストの情報量を少なくするとともにアイコン等を多用する等の限られた表示レイアウト（表示する文字のフォントやサイズ、文字配列方向における表示可能文字数等）によって作成される情報である。
【００３７】
そして、サーバ２１０は、車両１００側である情報提示ＥＣＵ１１０（及びＤＣＭ１３０）から一の情報提供要求信号の送出を伴うアクセス（以下、このアクセスを「ＰＣ用ユーザエージェントでのアクセス」と称呼する。）と、他の情報提供要求信号の送出を伴うアクセス（以下、このアクセスを「モバイル用ユーザエージェントでのアクセス」と称呼する。）とに応じた情報を提供する。
【００３８】
すなわち、サーバ２１０は、今、車両１００側である情報提示ＥＣＵ１１０からＤＣＭ１３０及び外部通信回線網３００を介して、ＰＣ用ユーザエージェントでのアクセスがなされていれば、ユーザ情報管理部２１２及びコンテンツ管理部２１４によるアクセスの解析に基づき、一の情報提供要求信号が送出されているため、コンテンツ記憶部２１５に記憶されているＰＣ対応情報であるコンテンツを抽出する。そして、サーバ２１０は、通信制御部２１１及び外部通信回線網３００を介して、抽出したＰＣ対応情報であるコンテンツを車両１００（情報提示ＥＣＵ１１０）に供給して提供する。
【００３９】
一方、サーバ２１０は、今、車両１００側である情報提示ＥＣＵ１１０からＤＣＭ１３０及び外部通信回線網３００を介して、モバイル用ユーザエージェントでのアクセスがなされていれば、ユーザ情報管理部２１２及びコンテンツ管理部２１４によるアクセスの解析に基づき、他の情報提供要求信号が送出されているため、コンテンツ記憶部２１５に記憶されているモバイル対応情報であるコンテンツを抽出する。そして、サーバ２１０は、通信制御部２１１及び外部通信回線網３００を介して、抽出したＰＣ対応情報であるコンテンツを車両１００（情報提示ＥＣＵ１１０）に供給して提供する。
【００４０】
次に、上記のように構成される情報通信システムに適用される本実施形態に係る情報取得装置及び情報提供装置の作動について、図２を用いて具体的に説明する。
【００４１】
例えば、ユーザによって図示を省略するイグニッションスイッチがオン状態とされると、図２に示すように、車両１００側においては、情報提示ＥＣＵ１１０が、ナビゲーション装置１４０の電子制御ユニットと通信し、現在、ユーザによってナビゲーション装置１４０が利用中であって設定された目的地までの経路を案内しているか否かを判定することができる。そして、情報提示ＥＣＵ１１０は、現在、ナビゲーション装置１４０が目的地までの経路を案内している、すなわち、ナビゲーション装置１４０が経路案内情報を表示する必要があるために表示器１１１の表示領域の一部を占有していれば、ＤＣＭ１３０を利用して情報提供センタ２００に対してモバイル用ユーザエージェントでのアクセスを行うことができる。一方、情報提示ＥＣＵ１１０は、現在、ナビゲーション装置１４０が目的地までの経路を案内していない、すなわち、ナビゲーション装置１４０が利用中ではなく経路案内情報を表示する必要がなければ、ＤＣＭ１３０を利用して情報提供センタ２００に対してＰＣ用ユーザエージェントでのアクセスを行うことができる。
【００４２】
すなわち、情報提示ＥＣＵ１１０は、情報提供センタ２００から提供された情報を表示するための表示器１１１の表示領域が大きいか小さいかに基づいて、表示面積の小さい、表示ピクセルが小さい或いは文字配列方向における表示可能文字数が少ない状態であれば、モバイル用ユーザエージェントでのアクセスにより他の情報提供要求信号を送出して他の表示態様によって表示されるモバイル対応情報の提供を情報提供センタ２００に要求することができる。一方、情報提示ＥＣＵ１１０は、表示面積の大きい、表示ピクセルが大きい或いは文字配列方向における表示可能文字数が多い状態であれば、ＰＣ用ユーザエージェントでのアクセスにより一の情報提供要求信号を送出して一の表示態様によって表示されるＰＣ対応情報の提供を情報提供センタ２００に要求することができる。
【００４３】
情報提供センタ２００においては、図２に示すように、サーバ２１０が、通信制御部２１１を介して、車両１００から送信された一の情報提供要求信号又は他の情報提供要求信号を受信することができる。具体的に説明すると、サーバ２１０は、車両１００側の情報提示ＥＣＵ１１０がモバイル用ユーザエージェントでのアクセスにより送信したモバイル対応情報の提供を要求する他の情報提供要求信号、又は、車両１００側の情報提示ＥＣＵ１１０がＰＣ用ユーザエージェントでのアクセスにより送信したＰＣ対応情報の提供を要求する一の情報提供要求信号を受信することができる。
【００４４】
そして、サーバ２１０は、コンテンツ管理部２１４を利用して車両１００側の情報提示ＥＣＵ１１０によるアクセスを解析することにより、モバイル対応情報が要求されているか、ＰＣ対応情報が要求されているかを判定することができる。これにより、サーバ２１０は、モバイル用ユーザエージェントでのアクセスによりモバイル対応情報の提供を要求する他の情報提供要求信号を受信していればコンテンツ記憶部２１５に記憶されているモバイル対応情報であるコンテンツを抽出し、ＰＣ用ユーザエージェントでのアクセスによりＰＣ対応情報の提供を要求する一の情報提供要求信号を受信していればコンテンツ記憶部２１５に記憶されているＰＣ対応情報であるコンテンツを抽出することができる。
【００４５】
このように、モバイル対応情報であるコンテンツ、又は、ＰＣ対応情報であるコンテンツを抽出すると、サーバ２１０は、通信制御部２１１を介して、抽出したモバイル対応情報であるコンテンツ、又は、ＰＣ対応情報であるコンテンツ、言い換えれば、車両１００側の情報提示ＥＣＵ１１０が表示器１１１の情報表示状態に応じて一の情報提供要求信号又は他の情報提供信号を送出することにより要求された情報を提供（供給）することができる。
【００４６】
車両１００においては、図２に示すように、情報提示ＥＣＵ１１０が、ＤＣＭ１３０を介して、情報提供センタ２００のサーバ２１０から外部通信回線網３００を利用して提供されたモバイル対応情報であるコンテンツ、又は、ＰＣ対応情報であるコンテンツを受信して取得することができる。そして、情報提示ＥＣＵ１１０は、取得したモバイル対応情報であるコンテンツ、又は、ＰＣ対応情報であるコンテンツを現在の情報表示状態に合わせて表示器１１１に表示することができる。
【００４７】
具体的に、情報提示ＥＣＵ１１０は、図３に示すように、ナビゲーション装置１４０が経路案内情報を表示器１１１の左半分の表示領域に表示している状況では、モバイル対応情報であるコンテンツを右半分の表示領域に表示することができる。ここで、モバイル対応情報であるコンテンツは、そもそも、表示領域が小さい表示器（例えば、携帯電話のディスプレイ等）向けに小さな表示領域であっても視認性に優れたフォント、フォントサイズ、表示レイアウトを採用して制作されている。従って、表示器１１１にて半分となる表示領域にモバイル対応情報であるコンテンツを表示することにより、ユーザは必要とする情報を極めて見やすい状態で確認することができる。
【００４８】
一方、情報提示ＥＣＵ１１０は、図４に示すように、表示器１１１の全表示領域を利用することができる状況では、ＰＣ対応情報であるコンテンツを全表示領域に表示することができる。ここで、ＰＣ対応情報であるコンテンツは、そもそも、表示領域が大きな表示器（例えば、ＰＣ向けのディスプレイ等）で視認性に優れたフォント、フォントサイズ、表示レイアウトを自由に採用して制作されている。従って、表示器１１１にて全表示領域にＰＣ対応情報であるコンテンツを表示することにより、ユーザは必要とする情報を極めて見やすい状態で確認することができる。
【００４９】
ここで、現在、ナビゲーション装置１４０によって経路案内情報が表示器１１１に表示されている状態において、例えば、ユーザが経路案内情報の表示を解除した状況を想定する。この状況においては、経路案内情報の表示が解除されることにより、表示器１１における表示領域が大きくなるため、情報提示ＥＣＵ１１０は、一の情報提供要求信号を情報提供センタ２００に送出する、言い換えれば、ＰＣ用ユーザエージェントでのアクセスに切り替える。これにより、表示領域の増大に対応して、適切な情報であるＰＣ対応情報であるコンテンツを表示することができる。
【００５０】
又、逆に、現在、ナビゲーション装置１４０によって経路案内情報が表示器１１１に表示されていない状態において、例えば、ユーザが経路案内情報の表示を要求した状況を想定する。この状況においては、経路案内情報の表示が要求されることにより、表示器１１における表示領域が小さくなるため、情報提示ＥＣＵ１１０は、他の情報提供要求信号を情報提供センタ２００に送出する、言い換えれば、モバイル用ユーザエージェントでのアクセスに切り替える。これにより、表示領域の減少に対応して、適切な情報であるモバイル対応情報であるコンテンツを表示することができる。
【００５１】
以上の説明からも理解できるように、この実施形態においては、車両１００の情報提示ＥＣＵ１１０は、表示器１１１における情報表示状態、すなわち、表示器１１１の表示領域が大きいか小さいかに基づいて、表示面積の小さい、表示ピクセルが小さい或いは文字配列方向における表示可能文字数が少ない状態であれば、モバイル用ユーザエージェントでのアクセスにより表示領域の小さい状態（他の表示態様）にて表示されるモバイル対応情報の提供を情報提供センタ２００に要求することができる。一方、情報提示ＥＣＵ１１０は、表示面積の大きい、表示ピクセルが大きい或いは文字配列方向における表示可能文字数が多い状態であれば、ＰＣ用ユーザエージェントでのアクセスにより表示領域の大きい状態（一の表示態様）にて表示されるＰＣ対応情報の提供を情報提供センタ２００に要求することができる。このため、情報提示ＥＣＵ１１０は、情報提供センタ２００からモバイル対応情報であるコンテンツ、又は、ＰＣ対応情報であるコンテンツを取得して表示器１１１に情報を表示して提示することができる。
【００５２】
これにより、この実施形態においては、ユーザに提示する情報には文字の潰れや画像の歪み等、ページレイアウトの崩れが生じることがなく、極めて良好な視認性を確保して情報を常に提示することができる。従って、ユーザは極めて容易に提示された情報確認することができる。
【００５３】
上記実施形態においては、情報提示ＥＣＵ１１０が表示器１１１上の情報表示状態に応じて、具体的には、複数種類の情報（例えば、インターネット検索情報と経路案内情報）を同時に表示する状況を説明した。すなわち、複数種類の情報を同時に表示して提示する場合には、表示器１１１上のそれぞれの表示領域が小さくなるため、情報提示ＥＣＵ１１０は、この小さな表示領域であってもユーザが視認性よく容易に情報の内容を確認できるように、情報提供センタ２００に対してモバイル用ユーザエージェントでのアクセスを行い、モバイル対応情報であるコンテンツを取得して表示器１１１上に表示するように実施した。これにより、同時に複数種類の情報を提示する場合であっても、ユーザは適切に情報を確認できる。
【００５４】
ところで、近年広く利用されている、所謂、スマートフォンにおいては、表示器の形状が一般に長方形であり、スマートフォンを縦向き（すなわち、情報の文字配列方向における表示可能文字数が少なくなる向き）で利用したり、スマートフォンを横向き（すなわち、情報の文字配列方向における表示可能文字数が多くなる向き）で利用することが可能である。この場合、通常では、縦向きと横向きとで表示される情報はともに同一のレイアウトであり、縦向きと横向きとで表示可能文字数を確保するために、単純に情報を拡大又は縮小して表示するようになっている。このため、特に、ユーザが縦向きでスマートフォンを利用する場合には、情報が縮小されて表示されるために、例えば、文字が潰れてしまって視認性が悪化する。
【００５５】
そこで、ユーザがスマートフォンを利用する際に、縦向きで利用する場合と横向きで利用する場合とで、上記実施形態と同様に情報提供センタ２００にアクセスするときのユーザエージェントを異ならせてアクセスすることにより、ユーザが必要とする情報を適切に表示させるようにすることができる。以下、この変形例を説明するが、上記実施形態と同一部分に同一の符号を付し、その説明を省略する。
【００５６】
この変形例においては、ユーザは、スマートフォンやタブレット端末等の情報端末４００を所有している。情報端末４００は、図５に示すように、外部通信回線網３００を介して情報提供センタ２００から各種の情報（例えば、インターネット検索情報等）を取得するようになっている。このため、情報端末４００は、図５に示すように、外部通信回線網３００に接続して情報提供センタ２００から各種の情報を取得する情報取得手段としての外部通信制御部４０１と、表示器と操作器とを兼用したタッチパネル式液晶ディスプレイ４０２と、マイクロコンピュータを主要構成部品とし表示制御及び各種のアプリケーションを実行する情報提示手段としての主制御部４０３と、アプリケーションプログラム等の各種のデータを記憶する不揮発性メモリ４０４とを備えている。
【００５７】
次に、上記のように構成される情報端末４００を用いた場合の作動について、図６を用いて具体的に説明する。
【００５８】
例えば、ユーザによって情報端末４００を利用して所定のアプリケーションが実行されると、図６に示すように、情報端末４００側においては、主制御部４０３が、例えば、加速度を検出することによって、現在、ユーザによって縦向きで使用されているか否かを判定することができる。そして、主制御部４０３は、現在、ユーザが情報端末４００を縦向きで使用している、すなわち、縦向きで使用しているためにタッチパネル式液晶ディスプレイ４０２における表示可能文字数が少なくなっていれば、外部通信制御部４０１を利用して情報提供センタ２００に対してモバイル用ユーザエージェントでのアクセスを行うことができる。一方、主制御部４０３は、現在、ユーザが情報端末４００を横向きで使用している、すなわち、横向きで使用しているためにタッチパネル式液晶ディスプレイ４０２における表示可能文字数が多くなっていれば、外部通信制御部４０１を利用して情報提供センタ２００に対してＰＣ用ユーザエージェントでのアクセスを行うことができる。
【００５９】
すなわち、主制御部４０３は、情報提供センタ２００から提供された情報の文字配列方向におけるタッチパネル式液晶ディスプレイ４０２の表示可能文字数が多いか少ないかに基づいて、文字配列方向における表示可能文字数が少ない状態であれば、モバイル用ユーザエージェントでのアクセスにより表示可能文字数が少ない状態（すなわち、他の表示態様）にて表示されるモバイル対応情報の提供を情報提供センタ２００に要求することができる。一方、文字配列方向における表示可能文字数が多い状態であれば、ＰＣ用ユーザエージェントでのアクセスにより表示可能文字数が多い状態（すなわち、一の表示態様）にて表示されるＰＣ対応情報の提供を情報提供センタ２００に要求することができる。
【００６０】
情報提供センタ２００においては、図６に示すように、サーバ２１０が、通信制御部２１１を介して情報端末４００から送信された一の情報提供要求信号又は他の情報提供要求信号を受信することができる。具体的に説明すると、サーバ２１０は、情報端末４００側の主制御部４０３がモバイル用ユーザエージェントでのアクセスにより送信したモバイル対応情報の提供を要求する他の情報提供要求信号、又は、情報端末４００側の主制御部４０３がＰＣ用ユーザエージェントでのアクセスにより送信したＰＣ対応情報の提供を要求する一の情報提供要求信号を受信することができる。
【００６１】
そして、サーバ２１０は、コンテンツ管理部２１４を利用して情報端末４００側の主制御部４０３によるアクセスを解析することにより、モバイル対応情報が要求されているか、ＰＣ対応情報が要求されているかを判定することができる。これにより、サーバ２１０は、モバイル対応情報の提供を要求する他の情報提供要求信号を受信していればコンテンツ記憶部２１５に記憶されているモバイル対応情報であるコンテンツを抽出し、ＰＣ対応情報の提供を要求する一の情報提供要求信号を受信していればコンテンツ記憶部２１５に記憶されているＰＣ対応情報であるコンテンツを抽出することができる。
【００６２】
このように、モバイル対応情報であるコンテンツ、又は、ＰＣ対応情報であるコンテンツを抽出すると、サーバ２１０は、通信制御部２１１を介して、抽出したモバイル対応情報であるコンテンツ、又は、ＰＣ対応情報であるコンテンツ、言い換えれば、情報端末４００側の主制御部４０３がタッチパネル式液晶ディスプレイ４０２の情報表示状態（縦向きの使用又は横向きの使用によって異なる表示可能文字数の多少）に応じて一の情報提供要求信号又は他の情報提供要求信号を送出することにより提供を要求した情報を提供（供給）することができる。
【００６３】
情報端末４００においては、図６に示すように、主制御部４０３が、外部通信制御部４０１を介して、情報提供センタ２００のサーバ２１０から外部通信回線網３００を利用して提供されたモバイル対応情報であるコンテンツ、又は、ＰＣ対応情報であるコンテンツを受信して取得することができる。そして、主制御部４０３は、取得したモバイル対応情報であるコンテンツ、又は、ＰＣ対応情報であるコンテンツを現在の情報表示状態に合わせてタッチパネル式液晶ディスプレイ４０２に表示することができる。
【００６４】
具体的に、主制御部４０３は、図７に示すように、ユーザが縦向きで情報端末４００を使用している状況では、モバイル対応情報であるコンテンツを縦向きのタッチパネル式液晶ディスプレイ４０２に表示することができる。ここで、モバイル対応情報であるコンテンツは、そもそも、表示可能文字数が少ない表示器（例えば、携帯電話のディスプレイ等）向けに小さな表示領域であっても視認性に優れたフォント、フォントサイズ、表示レイアウトを採用して制作されている。従って、縦向きの使用によってタッチパネル式液晶ディスプレイ４０２にモバイル対応情報であるコンテンツを表示することにより、ユーザは必要とする情報を極めて見やすい状態で確認することができる。
【００６５】
一方、主制御部４０３は、図８に示すように、ユーザが横向きで情報端末４００を使用している状況では、ＰＣ対応情報であるコンテンツを横向きのタッチパネル式液晶ディスプレイ４０２に表示することができる。ここで、ＰＣ対応情報であるコンテンツは、そもそも、表示可能文字数が多い表示器（例えば、ＰＣ向けのディスプレイ等）で視認性に優れたフォント、フォントサイズ、表示レイアウトを自由に採用して制作されている。従って、タッチパネル式液晶ディスプレイ４０２にＰＣ対応情報であるコンテンツを表示することにより、ユーザは必要とする情報を極めて見やすい状態で確認することができる。
【００６６】
以上の説明からも理解できるように、この変形例においては、ユーザが所有する情報端末４００（スマートフォンやタブレット型端末等）のタッチパネル式液晶ディスプレイ４０２における表示状態、すなわち、ユーザによって情報端末４００が縦向きで使用される場合と横向きで使用される場合とで異なる情報の文字配列方向における表示可能文字数の多少に応じて、主制御部４０３が自動的にモバイルユーザエージェントでのアクセス又はＰＣユーザエージェントでのアクセスを切り替えて情報提供センタ２００にアクセスすることができる。すなわち、情報端末４００の主制御部４０３は、情報表示状態（すなわち、縦向きで使用中か横向きで使用中か）に応じて、一の情報提供要求信号又は他の情報提供要求信号を適切に送出し、情報提供センタ２００からモバイル対応情報であるコンテンツ、又は、ＰＣ対応情報であるコンテンツを取得してタッチパネル式液晶ディスプレイ４０２に情報を表示することができる。
【００６７】
これにより、この変形例においても、上記実施形態と同様に、ユーザに提示する情報には文字の潰れや画像の歪み等や、ページレイアウトの崩れが生じることがなく、極めて良好な視認性を確保して情報を常に提示することができる。従って、この変形例においても、上記実施形態と同様に、ユーザは極めて容易に提示された情報を確認することができる。
【００６８】
本発明の実施にあたっては、上記実施形態及び変形例に限定されるものではなく、本発明の目的を逸脱しない限りにおいて、種々の変更が可能である。
【００６９】
例えば、上記実施形態及び変形例においては、車両１００の情報提示ＥＣＵ１１０や情報端末４００の主制御部４０３が、表示器１１１やタッチパネル式液晶ディスプレイ４０２の表示状態に応じて、自動的に、モバイルユーザエージェントでのアクセス又はＰＣユーザエージェントでアクセスを切り替えて情報提供センタ２００にアクセスするように実施した。そして、このように自動的にアクセス内容を表示状態に応じて変更することにより、表示器１１１又はタッチパネル式液晶ディスプレイ４０２の情報表示状態を反映して適切に情報を表示（提示）するように実施した。
【００７０】
この場合、車両１００のユーザ又は情報端末４００のユーザが自らモバイルユーザエージェントでのアクセス又はＰＣユーザエージェントでアクセスを選択的に切り替えて情報提供センタ２００にアクセスするように実施することも可能である。この場合には、ユーザが自らアクセス内容を変更する点で若干煩雑になるものの、ユーザに好みを適切に反映させて情報を表示（提示）できる。
【００７１】
又、上記実施形態においては、ナビゲーション装置１４０と表示器１１１を共用する場合を想定した。しかしながら、他の情報、例えば、車両１００がバッテリによる電力を利用して走行する電気自動車やハイブリッド車（プラグインハイブリッド車を含む）等であれば、搭載するバッテリの状態として、例えば、充放電状態や劣化状態等の電池情報等を表示するように実施可能であることは言うまでもない。この場合であっても、上記実施形態と同様の効果が期待できる。
【図１】
2013030951.tif 000003
【図２】
2013030951.tif 000004
【図３】
2013030951.tif 000005
【図４】
2013030951.tif 000006
【図５】
2013030951.tif 000007
【図６】
2013030951.tif 000008
【図７】
2013030951.tif 000009
【図８】
2013030951.tif 000010
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
外部と通信する通信手段と、前記外部から提供される情報を前記通信手段を介して取得する情報取得手段と、この情報取得手段によって取得した前記情報を表示する表示器を有する情報提示手段とを備えた情報取得提示装置において、
前記情報提示手段は、
前記表示器上に前記外部から提供される情報のみを表示する情報表示状態である場合、前記表示器上にて前記外部から提供される情報を表示する大きな表示領域に合わせた表示レイアウトを有していて前記情報取得手段が取得した一の表示態様による情報を表示し、前記表示器上に前記外部から提供される情報を含んで複数種類の情報を同時に表示する情報表示状態である場合、前記表示器上にて前記外部から提供される情報を表示する小さな表示領域に合わせた表示レイアウトを有していて前記情報取得手段が取得した前記一の表示態様とは異なる他の表示態様による情報を表示することを特徴とする情報取得提示装置。
【請求項２】
請求項１に記載した情報取得提示装置において、
前記情報提示手段は、
前記表示器上の情報表示状態に応じて、前記一の表示態様により表示する情報の提供を前記外部に要求する一の情報提供要求信号、又は、前記他の表示態様により表示する情報の提供を前記外部に要求する、前記一の情報提供要求信号とは異なる他の情報提供要求信号を前記通信手段を介して送出し、前記情報取得手段が前記外部から前記一の情報提供要求信号に対応して取得した前記一の表示態様により表示する情報を前記表示器上に表示し、前記情報取得手段が前記外部から前記他の情報提供要求信号に対応して取得した前記他の表示態様により表示する情報を前記表示器上に表示することを特徴とする情報取得提示装置。
【請求項３】
請求項１又は請求項２に記載した情報取得提示装置において、
前記一の表示態様は、
前記表示器上にて前記情報取得手段が前記外部から取得した情報を表示する表示面積が大きい表示態様、前記表示器上にて前記情報取得手段が前記外部から取得した情報を表示する表示ピクセルが大きい表示態様、及び、前記情報取得手段が前記外部から取得した情報の文字配列方向における前記表示器の表示可能文字数が多い表示態様のうちの何れか一つの表示態様であり、
前記他の表示態様は、
前記表示器上にて前記情報取得手段が前記外部から取得した情報を表示する表示面積が小さい表示態様、前記表示器上にて前記情報取得手段が前記外部から取得した情報を表示する表示ピクセルが小さい表示態様、及び、前記情報取得手段が前記外部から取得した情報の文字配列方向における前記表示器の表示可能文字数が少ない表示態様のうちの何れか一つの表示態様であることを特徴とする情報取得提示装置。
【請求項４】
請求項１に記載した情報取得提示装置において、
前記複数種類の情報には、少なくとも、ユーザが設定した目的地までの経路を案内するナビゲーション情報が含まれることを特徴とする情報取得提示装置。
【請求項５】
外部と通信する通信手段と、前記外部から前記通信手段を介して情報提供に関する要求を取得する要求取得手段と、各種の情報を記憶する記憶手段を有していて前記要求取得手段によって取得した前記要求に対応する情報を前記通信手段を介して供給して提供する情報提供手段とを備えた情報提供装置において、
前記情報提供手段は、
前記外部に対して、前記外部に設けられた表示器上に前記要求に対応する情報のみが表示される情報表示状態である場合に前記表示器上にて前記要求に対応する情報を表示する大きな表示領域に合わせた表示レイアウトを有する一の表示態様により表示される情報を提供し、前記表示器上に前記要求に対応する情報を含んで複数種類の情報が同時に表示される情報表示状態である場合に前記表示器上にて前記要求に対応する情報を表示する小さな表示領域に合わせた表示レイアウトを有していて前記一の表示態様とは異なる他の表示態様により表示される情報を提供することを特徴とする情報提供装置。
【請求項６】
請求項５に記載した情報提供装置において、
前記情報提供手段は、
前記外部に設けられた表示器上の情報表示状態に応じて前記外部から送出された前記一の表示態様により表示する情報の提供を要求する一の情報提供要求信号を前記要求取得手段が取得したときに前記外部に対して前記一の情報提供要求信号に対応した情報を提供し、
前記外部に設けられた表示器上の情報表示状態に応じて前記外部から送出された前記他の表示態様により表示する情報の提供を要求する、前記一の情報提供要求信号とは異なる他の情報提供要求信号を前記要求取得手段が取得したときに前記外部に対して前記他の情報提供要求信号に対応した情報を提供することを特徴とする情報提供装置。
【請求項７】
請求項５又は請求項６に記載した情報提供装置において、
前記一の表示態様は、
前記外部に設けられた表示器上にて前記情報提供手段が提供する情報を表示する表示面積が大きい表示態様、前記表示器上にて前記情報提供手段が提供する情報を表示する表示ピクセルが大きい表示態様、及び、前記情報提供手段が提供する情報の文字配列方向における前記表示器の表示可能文字数が多い表示態様のうちの何れか一つの表示態様であり、
前記他の表示態様は、
前記外部に設けられた表示器上にて前記情報提供手段が提供する情報を表示する表示面積が小さい表示態様、前記表示器上にて前記情報提供手段が提供する情報を表示する表示ピクセルが小さい表示態様、及び、前記情報提供手段が提供する情報の文字配列方向における前記表示器の表示可能文字数が少ない表示態様のうちの何れか一つの表示態様であることを特徴とする情報提供装置。
【請求項８】
請求項５に記載した情報提供装置において、
前記複数種類の情報には、少なくとも、前記外部のユーザが設定した目的地までの経路を案内するナビゲーション情報が含まれることを特徴とする情報提供装置。
【請求項９】
各種の情報を提供する情報提供装置と、この情報提供装置から提供される各種の情報を取得して提示する情報取得提示装置とが互いに通信する情報通信システムにおいて、
前記情報取得提示装置は、
前記取得した情報を表示する表示器上に前記情報提供装置から提供される情報のみを表示する情報表示状態である場合、前記表示器上にて前記情報提供装置から提供される情報を表示する大きな表示領域に合わせた表示レイアウトを有する一の表示態様により表示する情報の提供を前記情報提供装置に要求する一の情報提供要求信号を送出し、前記表示器上に前記情報提供装置から提供される情報を含んで複数種類の情報を同時に表示する情報表示状態である場合、前記表示器上にて前記情報提供装置から提供される情報を表示する小さな表示領域に合わせた表示レイアウトを有していて前記一の表示態様とは異なる他の表示態様により表示する情報の提供を前記情報提供装置に要求する、前記一の情報提供要求信号とは異なる他の情報提供要求信号を送出し、
前記情報提供装置は、
前記情報取得提示装置から送出された前記一の情報提供要求信号を取得したときに前記情報取得提示装置に対して前記一の情報提供要求信号に対応した前記一の表示態様により表示する情報を提供し、前記情報取得提示装置から送出された前記他の情報提供要求信号を取得したときに前記情報取得提示装置に対して前記他の情報提供要求信号に対応した前記他の表示態様により表示する情報を提供し、
前記情報取得提示装置は、
前記情報提供装置から前記一の情報提供要求信号に対応して取得した前記一の表示態様により表示する情報を前記表示器上に表示し、前記情報提供装置から前記他の情報提供要求信号に対応して取得した前記他の表示態様により表示する情報を前記表示器上に表示することを特徴とする情報通信システム。
【請求項１０】
請求項９に記載した情報通信システムにおいて、
前記一の表示態様は、
前記情報取得提示装置の表示器上にて前記情報提供装置から取得した情報を表示する表示面積が大きい表示態様、前記表示器上にて前記情報提供装置から取得した情報を表示する表示ピクセルが大きい表示態様、及び、前記情報提供装置から取得した情報の文字配列方向における前記表示器の表示可能文字数が多い表示態様のうちの何れか一つの表示態様であり、
前記他の表示態様は、
前記情報取得提示装置の表示器上にて前記情報提供装置から取得した情報を表示する表示面積が小さい表示態様、前記表示器上にて前記情報提供装置から取得した情報を表示する表示ピクセルが小さい表示態様、及び、前記情報提供装置から取得した情報の文字配列方向における前記表示器の表示可能文字数が少ない表示態様のうちの何れか一つの表示態様であることを特徴とする情報通信システム。
【請求項１１】
請求項９に記載した情報通信システムにおいて、
前記複数種類の情報には、少なくとも、前記情報取得提示装置のユーザが設定した目的地までの経路を案内するナビゲーション情報が含まれることを特徴とする情報通信システム。
【手続補正２】
【補正対象書類名】明細書
【補正対象項目名】０００９
【補正方法】変更
【補正の内容】
【０００９】
上記目的を達成するために、本発明の特徴は、外部と通信する通信手段と、前記外部から提供される情報を前記通信手段を介して取得する情報取得手段と、この情報取得手段によって取得した前記情報を表示する表示器を有する情報提示手段とを備えた情報取得提示装置において、前記情報提示手段は、前記表示器上に前記外部から提供される情報のみを表示する情報表示状態である場合、前記表示器上にて前記外部から提供される情報を表示する大きな表示領域に合わせた表示レイアウトを有していて前記情報取得手段が取得した一の表示態様による情報を表示し、前記表示器上に前記外部から提供される情報を含んで複数種類の情報を同時に表示する情報表示状態である場合、前記表示器上にて前記外部から提供される情報を表示する小さな表示領域に合わせた表示レイアウトを有していて前記情報取得手段が取得した前記一の表示態様とは異なる他の表示態様による情報を表示することにある。
【手続補正３】
【補正対象書類名】明細書
【補正対象項目名】００１１
【補正方法】変更
【補正の内容】
【００１１】
又、本発明の他の特徴は、外部と通信する通信手段と、前記外部から前記通信手段を介して情報提供に関する要求を取得する要求取得手段と、各種の情報を記憶する記憶手段を有していて前記要求取得手段によって取得した前記要求に対応する情報を前記通信手段を介して供給して提供する情報提供手段とを備えた情報提供装置において、前記情報提供手段は、前前記外部に対して、前記外部に設けられた表示器上に前記要求に対応する情報のみを表示する情報表示状態である場合に前記表示器上にて前記要求に対応する情報を表示する大きな表示領域に合わせた表示レイアウトを有する一の表示態様により表示される情報を提供し、前記表示器上に前記要求に対応する情報を含んで複数種類の情報が同時に表示される情報表示状態である場合に前記表示器上にて前記要求に対応する情報を表示する小さな表示領域に合わせた表示レイアウトを有していて前記一の表示態様とは異なる他の表示態様により表示される情報を提供することにもある。
【手続補正４】
【補正対象書類名】明細書
【補正対象項目名】００１３
【補正方法】変更
【補正の内容】
【００１３】
又、本発明の他の特徴は、各種の情報を提供する情報提供装置と、この情報提供装置から提供される各種の情報を取得して提示する情報取得提示装置とが互いに通信する情報通信システムにおいて、前記情報取得提示装置は、前記取得した情報を表示する表示器上に前記情報提供装置から提供される情報のみを表示する情報表示状態である場合、前記表示器上にて前記情報提供装置から提供される情報を表示する大きな表示領域に合わせた表示レイアウトを有する一の表示態様により表示する情報の提供を前記情報提供装置に要求する一の情報提供要求信号を送出し、前記表示器上に前記情報提供装置から提供される情報を含んで複数種類の情報を同時に表示する情報表示状態である場合、前記表示器上にて前記情報提供装置から提供される情報を表示する小さな表示領域に合わせた表示レイアウトを有していて前記一の表示態様とは異なる他の表示態様により表示する情報の提供を前記情報提供装置に要求する、前記一の情報提供要求信号とは異なる他の情報提供要求信号を送出し、前記情報提供装置は、前記情報取得提示装置から送出された前記一の情報提供要求信号を取得したときに前記情報取得提示装置に対して前記一の情報提供要求信号に対応した前記一の表示態様により表示する情報を提供し、前記情報取得提示装置から送出された前記他の情報提供要求信号を取得したときに前記情報取得提示装置に対して前記他の情報提供要求信号に対応した前記他の表示態様により表示する情報を提供し、前記情報取得提示装置は、前記情報提供装置から前記一の情報提供要求信号に対応して取得した前記一の表示態様により表示する情報を前記表示器上に表示し、前記情報提供装置から前記他の情報提供要求信号に対応して取得した前記他の表示態様により表示する情報を前記表示器上に表示することにもある。
【手続補正５】
【補正対象書類名】明細書
【補正対象項目名】００１５
【補正方法】変更
【補正の内容】
【００１５】
この場合、前記複数種類の情報には、少なくとも、ユーザが設定した目的地までの経路を案内するナビゲーション情報が含まれるとよい。
【国際調査報告】
2013030951.tif 000011
2013030951.tif 000012